(57)【要約】  １つの観点において、本発明は、長鎖一価不飽和脂肪酸と長鎖多価不飽和脂肪酸の両方を含む油脂組成物、一般に魚油組成物から、長鎖一価不飽和脂肪酸の濃縮組成物を得るための方法に関する。他の観点において、本発明は、少なくとも７０重量％の長鎖一価不飽和脂肪酸を含む組成物に関する。【選択図】なし【特許請求の範囲】
【請求項１】
ａ）Ｃ２０−Ｃ２２長鎖多価不飽和脂肪酸と、少なくとも１５重量％のＣ２０−Ｃ２２長鎖一価不飽和脂肪酸とを含む油脂組成物を、（ｉ）Ｃ１−Ｃ５アルコール及び式Ｒ１（Ｃ＝Ｏ）Ｒ２で示されＲ１及びＲ２がそれぞれ独立してＣ１−Ｃ５アルキルであるケトンからなる群から選択される有機溶媒並びに（ｉｉ）リチウム塩と、５５℃〜８０℃で混合して、前記長鎖多価不飽和脂肪酸のリチウム塩と前記長鎖一価不飽和脂肪酸のリチウム塩とを含む混合組成物を形成するステップと、
ｂ）前記長鎖一価不飽和脂肪酸の前記リチウム塩が沈殿物を形成するように、ステップａで形成された前記混合組成物の温度を下げるステップと、
ｃ）前記沈殿物を取り出して、長鎖一価不飽和脂肪酸の濃縮組成物を得るステップを、
を含む、Ｃ２０−Ｃ２２長鎖一価不飽和脂肪酸の濃縮組成物を得るための方法。
【請求項２】
前記油脂組成物は、魚、甲殻類、藻類、プランクトン、又は高等植物に由来する、
ことを特徴とする請求項１に記載の方法。
【請求項３】
前記油脂組成物は、遊離脂肪酸及び脂肪酸モノエステルからなる群から選択される１つを含む、
ことを特徴とする請求項１又は２に記載の方法。
【請求項４】
前記脂肪酸モノエステルは、エチルエステルを含む、
ことを特徴とする請求項３に記載の方法。
【請求項５】
前記油脂組成物は、飽和脂肪酸及び／又はより短鎖の脂肪酸の濃度を低減させるために、事前分別ステップに供される、
ことを特徴とする請求項１乃至４のいずれか１項に記載の方法。
【請求項６】
追加の塩基が、ステップａにおいて加えられる、
ことを特徴とする請求項１乃至５のいずれか１項に記載の方法。
【請求項７】
前記追加の塩基は、水酸化カリウムである、
ことを特徴とする請求項６に記載の方法。
【請求項８】
前記有機溶媒は、エタノール及びアセトンからなる群から選択される、
ことを特徴とする請求項１乃至７のいずれか１項に記載の方法。
【請求項９】
前記溶媒は、油脂組成物１ｋｇあたり０．５〜８リットルの量が加えられる、
ことを特徴とする請求項１乃至８のいずれか１項に記載の方法。
【請求項１０】
前記リチウム塩は、炭酸リチウム、重炭酸リチウム、及び水酸化リチウムからなる群から選択される、
ことを特徴とする請求項１乃至９のいずれか１項に記載の方法。
【請求項１１】
前記リチウム塩は、水酸化リチウムを含む、
ことを特徴とする請求項１０に記載の方法。
【請求項１２】
前記リチウム塩は、油脂組成物１ｋｇあたり、リチウム換算で、５〜７０グラムの量が加えられる、
ことを特徴とする請求項１乃至１１のいずれか１項に記載の方法。
【請求項１３】
混合された前記組成物は、ステップｂにおいて、１０℃以下に冷却される、
ことを特徴とする請求項１乃至１２のいずれか１項に記載の方法。
【請求項１４】
前記油脂組成物は、魚油組成物である、
ことを特徴とする請求項１に記載の方法。
【請求項１５】
ＰＣＢの含有量によって測定される残留性有機環境汚染物質の含有量は、出発時の前記油脂組成物と比較して、９０％より多く減少する、
ことを特徴とする請求項１乃至１４のいずれか１項に記載の方法。
【請求項１６】
少なくとも７０重量％のＣ２０−Ｃ２２長鎖一価不飽和脂肪酸を含む組成物。
【請求項１７】
前記組成物は、少なくとも８０重量％のＣ２０−Ｃ２２長鎖一価不飽和脂肪酸を含む、
ことを特徴とする請求項１６に記載の組成物。
【請求項１８】
前記組成物は、遊離Ｃ２０−Ｃ２２長鎖一価不飽和脂肪酸を含む、
ことを特徴とする請求項１６又は１７に記載の組成物。
【請求項１９】
前記組成物は、Ｃ２０−Ｃ２２長鎖一価不飽和脂肪酸のモノエステルを含む、
ことを特徴とする請求項１６又は１７に記載の組成物。
【請求項２０】
前記組成物は、Ｃ２０−Ｃ２２長鎖一価不飽和脂肪酸のトリグリセリドを含む、
ことを特徴とする請求項１６又は１７に記載の組成物。
【発明の詳細な説明】
【技術分野】
【０００１】
１つの観点において、本発明は、長鎖一価不飽和脂肪酸と長鎖多価不飽和脂肪酸との両方を含む油脂組成物、一般的には魚油組成物から長鎖一価不飽和脂肪酸の濃縮組成物を得るための方法に関する。他の観点において、本発明は、長鎖一価不飽和脂肪酸を少なくとも７０重量％含む組成物に関する。
【背景技術】
【０００２】
ドコサヘキサエン酸（ＤＨＡ）及びエイコサペンタエン酸（ＥＰＡ）といった長鎖多価不飽和脂肪酸の摂取は、ごく最近、それらの一価不飽和等価体の摂取が不健康であると考えられるようになるまでは、様々な健康的な利点をもたらすものと長い間考えられてきた。非特許文献１において、イマムラたちは、「１９６０年代から１９８０年代における、齧歯類、豚、及びヒト以外の霊長類における食餌実験は、エルカ酸（２２：１ｎ９）及びセトレイン酸（２２：１ｎ１１）の摂取が、心臓脂肪症を起こすことを示唆した。ヒトでの潜在的な影響は、いまだに研究されていないが、メカニズムの研究は、長鎖一価不飽和脂肪酸（ＬＣＭＵＦＡ、２０：１、２２：１及び２４：１脂肪酸）への曝露は心筋を損ないうることを示唆している。」と述べている。この点につき、脂質は、式Ｘ：ＹｎＺにおいて、Ｘはアルキル鎖中の炭素原子の数、Ｙはその鎖中の二重結合の数、そして「Ｚ」は、メチル末端基から第一の二重結合までの炭素元素の数によって説明される点に留意されたい。天然では、二重結合は全てシス型である。多価不飽和脂肪酸では、各二重結合は、１つのメチレン（−ＣＨ２−）基によって隣から分離されている。この命名法を使用すると、ＥＰＡは２０：５ｎ３であり、一方ＤＨＡは、２２：６ｎ３である。
【０００３】
動脈硬化症又は鬱血性心不全を示す患者におけるリン脂質ＬＣＭＵＦＡ含有量の循環を解析した後、イマムラは、２４：１の増加が、特定の生理学的リスク因子、及び鬱血性心不全の高い発症率と関連することを発見した。２２：１の消費は、いくらかリスクを増加させることにつながり（２２：１は２４：１まで伸長するため）、２０：１脂肪酸に関しては、関連が発見されなかった。
【０００４】
最近の調査は、２０：１及び２２：１の長鎖一価不飽和脂肪酸が実際には好ましい健康上の効果を有していることを示している。このように、非特許文献２において、ヤンたちは、１０：１６が、そのような長鎖一価不飽和脂肪酸を用いたそのようなマウスの食事療法が、糖尿病の症状を改善させることを開示している。
【０００５】
不幸なことに、最近の調査は、魚油由来のＥＰＡ（２０：５）及びＤＨＡ（２２：６）のような高長鎖多価不飽和脂肪酸（ＬＣ−ＰＵＦＡ）と、植物由来のオレイン酸（１８：１）のような特定の一価不飽和脂肪酸との組み合わせが、それぞれから誘導される健康上の利点を打ち消し合うことがあることも示している。このように、Ｈｌａｉｓたちは、非特許文献３において、「総コレステロール及びＬＤＬコレステロールへのオレイン酸（ｎ−９）の影響は、魚油（ｎ−３）の添加によって変化した。これらの効果は、脂肪酸の２つの種類の間の酵素の競合の結果であるかもしれない。」（アブストラクト）と結論づけている。
【０００６】
従って、高濃度の高長鎖一価不飽和脂肪酸（つまり、２０：１及び２２：１）を含み、その上、高長鎖多価不飽和脂肪酸を多量に含有しない組成物を有することが望ましい。そのような材料の製造に関連する難点の１つは、そのような高長鎖一価不飽和脂肪酸を高濃度で有するオイルを産出する魚種の多く（例えば、ニシン）が、同じように高濃度の高長鎖多価脂肪酸も産出することである。興味深いことに、逆は真ならず、ＥＰＡ及びＤＨＡのような大半の高長鎖多価不飽和脂肪酸は、高い含有量の長鎖多価不飽和脂肪酸と低い含有量の長鎖一価不飽和脂肪酸とを有する油脂を産出する魚種（主にアンチョビ、南アメリカの西部沖で見られる）から、分離される。このように、例えば、非特許文献４では、ペルーアンチョビが、２０：５及び２２：６の含有量が３３．７（重量／重量％）であるが、２０：１＋２２：１の含有量がわずかに２．８％であることが報告されている。
【０００７】
不幸なことに、短行程蒸留及び超臨界流体抽出のような、魚油の脂肪酸を濃縮させるために一般的に使用される多くのプロセスは、飽和度よりも鎖長の変化に基づいて脂肪酸誘導体を主に分離する。尿素分画のような分別方法が採用され得るが、そのようなプロセスは、特に長鎖多価不飽和脂肪酸と長鎖一価不飽和脂肪酸とを大量に含む魚油では、多量の試薬が必要であって、経済的に受け入れ難い。
【０００８】
リチウム塩は、過去、魚油の他の成分から長鎖多価不飽和脂肪酸を分離するために用いられてきた。このように、例えば、特許文献１（Ｋｅｌｉｈｅｒ  ｅｔ  ａｌ）は、互いから脂肪酸を分離するというよりも、単一の脂肪酸から非酸性不純物を除去するために、リチウム塩を使用するプロセスを開示している。非酸性不純物は、一般的には、単一の脂肪酸を化学的に合成する際に生成される不純物である（特許文献１の段落４４を参照）。特許文献２（Ｈｏｒｌａｃｈｅｒ  ｅｔ  ａｌ）は、高いＥＰＡ及びＤＨＡ含有量を有する魚油から濃縮された遊離脂肪酸を、ナトリウム又はリチウム塩とエタノールとによって処理することにより、飽和脂肪酸を多価不飽和脂肪酸（一般にＥＰＡ及びＤＨＡ）から除去するプロセスを開示する。先行技術は、リチウム塩／アセトン分別プロセスを採用しうることを開示するが、そのような技術は、そのようなプロセスの使用は特に効果的ではないことを示唆している。このように、Ｆｏｎｔｅｌｌたちは、非特許文献５にて、「［リチウム塩／アセトン分別］の方法の１つの固有の欠点は、脂肪酸の共結晶であり、溶解度のデータから予測されるよりも、完全性の低い分離につながる。この方法によれば、不飽和脂肪酸から飽和脂肪酸をかなりよく分離することが通常可能であるが、ポリエン酸からのモノエンの分離は、より正確性が低い」ことを示している（３９１−３９２頁）。
【０００９】
従って、長鎖多価不飽和脂肪酸と長鎖一価不飽和脂肪酸との両方の物質を高い濃度で含む組成物において、長鎖多価不飽和脂肪酸から長鎖一価不飽和脂肪酸を分離するために、そのようなエタノール及び／又はアセトンのような有機溶媒を用いたリチウム分別を使用し得ることは、全く予期できない。
【先行技術文献】
【特許文献】
【００１０】
【特許文献１】米国特許出願公開第２０１３／１５０６０２号明細書
【特許文献２】国際公開第２０１１／０９５２８４号
【非特許文献】
【００１１】
【非特許文献１】Dietary supplementation with long-chain monounsaturated fatty acids attenuates obesity-related metabolic dysfunction and increases expression of PPAR gamma in adipose tissue in type 2 diabetic KK-Ay mice, Nutrition & Metabolism 2013
【非特許文献２】Dietary supplementation with long-chain monounsaturated fatty acids attenuates obesity-related metabolic dysfunction and increases expression of PPAR gamma in adipose tissue in type 2 diabetic KK-Ay mice, Nutrition & Metabolism 2013
【非特許文献３】Combined Fish Oil and High Oleic Sunflower Oil Supplements Neutralize the Individual Effects on the Lipid Profile of Healthy Men, Lipids (2013) 48:853-861
【非特許文献４】Opstvedt, Fish Lipids in Animal Nutrition, Norwegian Herring Oil & Meal Industry Research Industry, Technical Bulletin No. 22, October 1985
【非特許文献５】Some new method for separation and analysis of fatty acids and other lipids, Journal of Lipid Research, Volume 1, Number 5, pages 391-404 (1960)
【発明の概要】
【課題を解決するための手段】
【００１２】
１つの観点において、本発明は、
ａ）Ｃ２０−Ｃ２２長鎖多価不飽和脂肪酸と、少なくとも１５重量％のＣ２０−Ｃ２２長鎖一価不飽和脂肪酸とを含む油脂組成物を、（ｉ）Ｃ１−Ｃ５アルコール及び式Ｒ１（Ｃ＝Ｏ）Ｒ２で示されＲ１及びＲ２がそれぞれ独立してＣ１−Ｃ５アルキルであるケトンからなる群から選択される有機溶媒並びに（ｉｉ）リチウム塩と、１５℃〜８０℃で混合して、長鎖多価不飽和脂肪酸のリチウム塩と長鎖一価不飽和脂肪酸のリチウム塩とを含む混合組成物を形成するステップと、
ｂ）長鎖一価不飽和脂肪酸のリチウム塩が沈殿物を形成するように、ステップａで形成された混合組成物の温度を下げるステップと、
ｃ）沈殿物を取り出して、長鎖一価不飽和脂肪酸の濃縮組成物を得るステップと、
を含む、Ｃ２０−Ｃ２２長鎖一価不飽和脂肪酸の濃縮組成物を得るための方法に関する。
【００１３】
他の観点において、本発明は、少なくとも７０重量％のＣ２０−Ｃ２２長鎖一価不飽和脂肪酸を含む組成物に関する。
【発明を実施するための形態】
【００１４】
１つの観点において、本発明は、Ｃ２０−Ｃ２２長鎖一価不飽和脂肪酸の濃縮組成物を得るための方法であって、
ａ）Ｃ２０−Ｃ２２長鎖多価不飽和脂肪酸と少なくとも１５重量％のＣ２０−Ｃ２２長鎖一価不飽和脂肪酸とを含む油脂組成物を、（ｉ）Ｃ１−Ｃ５アルコール及び式Ｒ１（Ｃ＝Ｏ）Ｒ２で示されＲ１及びＲ２がそれぞれ独立してＣ１−Ｃ５アルキルであるケトンからなる群から選択される有機溶媒並びに（ｉｉ）リチウム塩と、１５℃から８０℃で混合して、長鎖一価不飽和脂肪酸のリチウム塩と長鎖多価不飽和脂肪酸のリチウム塩とを含む混合組成物を形成するステップと、
ｂ）長鎖一価不飽和脂肪酸のリチウム塩が沈殿物を形成するように、ステップａで形成された混合組成物の温度を下げるステップと、
ｃ）沈殿物を取り出して、長鎖一価不飽和脂肪酸の濃縮組成物を得るステップと、
を含む方法に関する。
【００１５】
本明細書で用いられている「長鎖一価不飽和脂肪酸」又は「ＬＣ−ＭＵＦＡ」という用語は、２０〜２２の炭素原子と、アルキル鎖中の１つの二重結合とを有する脂肪酸（２０：１から２２：１脂肪酸）を指す。同様に「長鎖多価不飽和脂肪酸」又は「ＬＣ−ＰＵＦＡ」という用語は、２０〜２２の炭素原子と、アルキル鎖中の複数の二重結合とを有する脂肪酸を指す。
【００１６】
更に、本明細書で用いられている「油脂組成物」という用語は、油脂それ自体（例えば、魚油）、又は、（エチル化、短行程蒸留、及び／又は超臨界流体抽出などの処理によって）そのような油脂から誘導され、少なくとも１５重量％のＬＣ−ＭＵＦＡを含む材料を意味する。
【００１７】
油脂組成物出発材料は、少なくとも１５重量％のＬＣ−ＭＵＦＡ含有量を有する任意の供給源に由来してもよい。一般的に、そのような油脂組成物は、かなりのＬＣ−ＰＵＦＡ含有量（例えば、５重量％以上）を含むだろう。そのような油脂は、魚、オキアミのような甲殻類、藻類、プランクトン、高等植物、又は他の任意の供給源に由来してもよい。好適な魚種は、ニシン、シシャモ、サバ、ブルーホワイティング（blue whiting）、イカナゴ、タラの内臓、及びスケトウダラの内臓を含む。
【００１８】
出発材料は、油脂、遊離脂肪酸（例えば、加水分解された魚油）、エチルエステルのようなモノエステル、又はそれらの混合物を含んでもよい。いずれの炭素鎖長でも飽和脂肪酸のリチウム塩は、対応する一価不飽和脂肪酸のリチウム塩と比較して有機溶媒中での溶解性が低いため、第１の分別ステップは、飽和脂肪酸（以下の実施例１及び２に説明されているように）の含有量を低減させるために実施されてもよい。エチルエステルのようなモノエステル、又は遊離脂肪酸を使用する場合、一般には、そのような出発材料は、そのような組成物からより短鎖の脂肪酸を除去するため、事前濃縮ステップ（例えば、短行路蒸留又は超臨界流体抽出）に供される。魚油の飽和脂肪酸は、比較的短い鎖長であるため（ニシン油では大部分がＣ１４及びＣ１６）、そのような手順は、出発材料中の飽和脂肪酸の含有量を著しく低減させる。
【００１９】
遊離脂肪酸は、例えば、Gudmundur G. Haraldsson and Bj5rn Kristinsson in J.Am.Oil Chem.Soc. (1998) 75: 1551 -1556に示されているように、当業者には既知のプロセスに従って、加水分解によって油脂から形成されてもよい。エチルエステルのようなモノエステルは、当業者によく知られたプロセス、例えば、ナトリウムアルコラートを触媒として使用し、副生成物として形成されるグリセロールを除去する、油脂及び対応する無水アルコールの反応によるプロセス、換言すれば、バイオディーゼルの製造のため、又は市販のオメガ−３製品の生産のための既知の技術に似た技術を使用することによって、形成されうる。
【００２０】
驚くことに、本発明のプロセスは、油脂のモノエステル（好適にはエチルエステル）に均等によく作用し、そして更に油脂それ自体に直接的にさえ作用する。更には、エステルを用いて始まるプロセスは、水酸化カリウム及び水酸化リチウムの混合物を使用し、効率的に実施されうることが予期せずに発見された。リチウムとカリウムとを合わせた含有量は、油脂のin situ加水分解をもたらすのに十分でなければならない、一方で、より高価な水酸化リチウムの含有量は、所望の分別度を得るのに、つまりはリチウム塩として、脂肪酸の所望の沈殿度を得るのに十分でありさえすればよい。水酸化カリウムの代わりとして、水酸化ナトリウム、水酸化マグネシウム等の他の塩基を使用してもよい。
【００２１】
本プロセスのステップａにおいて、油脂組成物は、有機溶媒の存在下でリチウム塩と混合され、長鎖一価不飽和脂肪酸のリチウム塩と長鎖多価不飽和脂肪酸のリチウム塩とを含む混合組成物が形成される。
【００２２】
経済的な考慮から、リチウム塩は、所望の画分を沈殿させるのに、辛うじて十分な量で、加えられると好ましい。エチルエステル又は油脂を出発材料として使用する場合、リチウム塩は、好ましくは、所望の分別のために十分な量が加えられ、そして別の塩基（水酸化カリウムのような）は、油脂を完全に加水分解するのに十分な量で加えられる。水酸化カリウムを使用する利点は、周囲のエタノール、及び水の両方に容易に溶解でき、それにより不必要に溶媒全体の体積を増加させずに溶媒中の所望の水含有量を得るための柔軟性がもたらされることにある。
【００２３】
使用される有機溶媒は、Ｃ１−Ｃ５アルコールと、式Ｒ１（Ｃ＝Ｏ）Ｒ２で示され、Ｒ１及びＲ２がそれぞれ独立してＣ１−Ｃ５アルキルであるケトンと、からなる群から選択される。好適な有機溶媒は、アセトン及びエタノールを含む。ある実施形態において、そのような有機溶媒は、少量の水（換言すれば、５０重量％未満、一般的には２５重量％未満）と混合されてもよい。そのような溶媒は、魚組成物１キログラムあたり、通常、０．５〜８リットル、好適には１〜４リットルの量が加えられる。有機溶媒中に任意的に含有される水に加えて、水は、加水分解及び／又は脂肪酸の沈殿を達成するために使用される水酸化リチウム及び／又は水酸化カリウム及び／又は任意の他のアルカリ物質の溶媒として、使用されてもよい。
【００２４】
使用され得るリチウム塩は、炭酸リチウム、重炭酸リチウム及び水酸化リチウムを含み、水酸化リチウムが好ましい。リチウム塩は、例えば、水酸化リチウム一水和物のような水和物として使用されてもよい。そのようなリチウム塩（１又は複数）は、一般的に水溶液の形態で使用される、しかしながら、そのような塩が、使用される特定の有機溶媒中に溶解可能である場合は、固形物として加えられてもよい。従って、例えば、水酸化リチウムは、エタノールを有機溶媒として使用する場合、固形物として使用されてもよい。
【００２５】
例として、Ｃ２０：１のリチウム塩を使用すると、リチウムは、塩の重量の２．２％を構成する。従って、所望の分別を得るためには、リチウム塩は、比較的低い重量で十分である。所望の分別によって、一般的には、そのようなリチウム塩は、油脂組成物１キログラムあたり、リチウム換算で５〜７０グラムの量で加えられ、好適には油脂組成物１キログラムあたり、１０〜６０グラムであり、更に好適には油脂組成物１キログラム当たり１０〜４０グラムのリチウム塩が加えられる。そのようなリチウム塩のコストのため、対応するカリウム等価物（例えば、水酸化カリウムを混合物に付加的に加えてもよい）と組み合わせて、そのような塩を使用することは、商業的な利点となり得る。
【００２６】
油脂組成物、リチウム塩及び有機溶媒は、長鎖一価不飽和脂肪酸のリチウム塩と長鎖多価不飽和脂肪酸のリチウム塩とが形成されるまで、混合される。そのような混合は、体積、成分の濃度、選択された特定の成分、使用されている撹拌の程度、選択された温度等のような要因により、数分以下から数時間以上までの範囲としてもよい。一般的には、成分は、気温（換言すれば、約１５℃以上）から８０℃の間の温度で、数分の間の時間、特に遊離脂肪酸を出発材料とする場合は２４時間まで、特にエチルエステルとトリグリセリドとを出発材料とすると更に長い時間、混合される。油脂又はそのエチルエステルが出発材料として用いられる場合（遊離脂肪酸とは対照的に）、そのようなリチウム塩を生成するためには、通常、より長い混合時間が必要である。
【００２７】
本発明のプロセスのステップｂにおいて、ステップａで形成された混合組成物は、長鎖一価不飽和脂肪酸のリチウム塩が沈殿物を形成するような条件にさらされる。一般的に、これは、気温未満の温度、好ましくは１０℃以下、更に好ましくは約０℃以下までの冷却（又はそのような組成物を冷やす）を含む。より大量のリチウム塩は、非常に低い温度まで反応混合物を冷却する必要性を減少させるだろう。一価不飽和脂肪酸を取り出すための他の手順は、比較的高い温度、例えば１０〜１５℃で形成される沈殿物を取り出し、そして、沈殿物の１つ以上の更なる画分を取り出す前に、好適な蒸発プロセスによって、１つ以上のステップで反応混合物の体積を減少させることである。
【００２８】
一旦、長鎖一価不飽和脂肪酸のリチウム塩を含む沈殿物が形成されると、沈殿物は、一般に濾過によって溶液から分離され、長鎖一価不飽和脂肪酸のリチウム塩を含む組成物と、長鎖多価不飽和脂肪酸の濃縮溶液を含む濾液とが得られる。
【００２９】
濾液は、クエン酸、塩酸等のような酸を用いる処理によって、遊離脂肪酸（及び回収されたリチウム）へと逆変換可能な高濃度の長鎖多価不飽和脂肪酸のリチウム塩を含む。形成された遊離ＬＣ−ＰＵＦＡは、更に、当業者によく知られているプロセスを使用して精製され、８０重量％以上の濃度で回収され、続いて、グリセロールを使用した酵素又は化学触媒エステル化によって、トリグリセリドへと逆変換され得る。このように、本発明のプロセスは、ＬＣ−ＭＵＦＡの高い含有量及びＬＣ−ＰＵＦＡの比較的低い含有量のために出発材料として一般に採用されない魚又は他の油脂から、高濃度のＬＣ−ＰＵＦＡを製造することができ、それにより、そのような高濃縮のＬＣ−ＰＵＦＡ組成物を製造するために一般的に使用される魚種の十分な供給量を容易に入手できない場合に、出発材料の選択における柔軟性を高めることができる。
【００３０】
沈殿物は、エタノールのような溶媒を使用した再結晶化によって、任意に精製されてもよい。そのような（任意に精製された）ＬＣ−ＭＵＦＡ組成物は、クエン酸、塩酸、リン酸、硫酸等のような酸を用いる処理によって遊離脂肪酸へと変換される。形成された遊離ＬＣ−ＭＵＦＡは、更に、当業者によく知られたプロセスを使用して精製され、７０重量％以上の濃度で回収され、続いて、グリセロールを用いた酵素触媒エステル化を使用してトリグリセリドへと再変換されてもよい。他の実施形態において、遊離長鎖一価不飽和脂肪酸は、当業者によく知られているプロセスによって、エステル（それらのエチルエステルのような）、又は塩（それらのリチウム、ナトリウム、カルシウム、マグネシウム塩等のような）へと変換することができる。
【００３１】
本発明のプロセスによれば、少なくとも７０重量％の長鎖一価不飽和脂肪酸を含む組成物の製造が可能である。好適には、そのような組成物は、７５重量％を超える、より好適には８０重量％より高いＬＣ−ＭＵＦＡ濃度を備える。そのようなＣ２０−Ｃ２２長鎖一価不飽和脂肪酸は、遊離脂肪酸、モノエステル（好適にはエチルエステル）、トリグリセリド、又はそれらの混合物の形態であってもよい。
【００３２】
本開示の各成分、化合物、置換基又はパラメータは、単独で、又は、本開示の成分、化合物、置換基、又はパラメータのそれぞれ及び他の全てのうち１つ以上と組み合わせて使用するために開示されていると解釈されうるということが理解されるべきである。
【００３３】
本開示の各成分、化合物、置換基又はパラメータのそれぞれの量／数値、又は量／数値の範囲は、本開示の任意の他の成分、化合物、置換基又はパラメータについて開示されている各量／数値又は量／数値の範囲と組み合わせることが開示されていると解釈されること、本開示の２以上の成分、化合物、置換基又はパラメータについてのそれぞれの量／数値、又は量／数値の範囲との任意の組み合わせも、本説明の目的のために互いに組み合わせられることも開示されていること、も理解されるべきである。
【００３４】
本開示の各範囲の下限は、同じ成分、化合物、置換基又はパラメータについて開示されている各範囲の上限と組み合わせて開示されているとして解釈されるべきであるということが更に理解される。このように、２つの範囲の開示は、各範囲の各下限を各範囲の各上限と組み合わせて生ずる４つの範囲の開示として解釈されるべきである。３つの範囲の開示は、各範囲の各下限を各範囲の各上限と組み合わせる等によって生ずる９つの範囲の開示として解釈されるべきである。更には、説明又は実施例で開示されている成分、化合物、置換基又はパラメータ特定の量／数値は、範囲の下限又は上限の何れかの開示であると解釈されるべきであり、それゆえ、他の場所で開示されている同じ成分、化合物、置換基又はパラメータについての任意の他の範囲の下限又は上限と、その成分、化合物、置換基又は成分の範囲を形成するために適用する際、組み合わせ得る。
【００３５】
（実施例）
以下の実施例は、本発明の原理に従い本発明の説明のために提供されるものであり、いかなる方法であっても、添付の請求項に示されているものを除いて、発明を限定するものと解釈されるべきではない。
【００３６】
以下の実施例において、特に示されている場合を除き、以下に挙げる組成を備えるニシン油を出発魚油材料として使用した。
表１、ガスクロマトグラフィによる分析に使用されたニシン油の脂肪酸組成
【表１】
2017510698.tif 000002
【００３７】
実施例１  ２ステップ分別：飽和脂肪酸を除去するための第１分別ステップ
加水分解された表１のニシン油に由来する１０００グラムの遊離脂肪酸（ＦＦＡ）を、２リットルのアセトン中に溶かした。１００ｍｌの５Ｍ  ＬｉＯＨ（３．５ｇのリチウムイオン又は出発脂肪酸に対して０．３５重量％に相当）を加え、４０℃で一晩撹拌した後、追加のアセトンを２リットル加え、反応混合物をアイスバス内で４時間冷却した。形成された沈殿物は、飽和脂肪酸が濃縮されており、濾過によって除去し、廃棄した。
【００３８】
濾液を、クエン酸を用いて酸化し、残留するアセトン／水溶液から遊離脂肪酸が分離相を形成するように、ロータリーエバポレータにより真空下でアセトンの一部を除去した。遊離脂肪酸を、分液漏斗を使用して取り除き、ｐＨ５〜６となるまで、水で複数回洗浄した。遊離脂肪酸相を、安定した重量が得られるまで、ロータリエバポレータにより真空下で処理した。この方法で、７９８．５ｇの遊離脂肪酸が分離された。この画分の脂肪酸組成を、表２に示す。分析後、この遊離脂肪酸混合物（７８６．７ｇ）を、１．６リットルのアセトンに溶かした。ＬｉＯＨ（４７２ｍｌ  ５Ｍ、１６．４ｇのリチウムイオンに相当、又は遊離脂肪酸に対して２．１重量％）を撹拌しながら加えた。４０℃で一晩撹拌した後、１．６リットルの追加のアセトンを加え、反応混合物をアイスバスで４時間冷却し、濾過した。
【００３９】
アセトン濾液を、クエン酸を用いて酸化し、遊離脂肪酸トリグリセリドオメガ−３濃縮物（１８５ｇ）を、上述した手順を用いて分離した。濃縮物の脂肪酸組成を、表２に示す。
【００４０】
分離されたリチウム塩を含む濾液を、エタノールから再結晶化した。再結晶化塩の酸性化後、３７３ｇのＭＵＦＡ高濃縮物が得られた。再結晶化後のＭＵＦＡ濃縮物の脂肪酸組成を、表２に示す。
【００４１】
表２：ガスクロマトグラフィによって分析された濃度（パーセント）
【表２】
2017510698.tif 000003
【００４２】
再結晶化ＭＵＦＡ濃縮物を、ラボラトリ短行路蒸留器（Ｌｅｙｂｏｌｄ  ＫＤＬ  ４）を使用して、２回蒸留した。１回目の蒸留時（１２０℃、１０４〜１０３ｍｂａｒ）、短鎖長の脂肪酸を除去するため、２８．３％の蒸留物を廃棄した。この蒸留物からの残留物を、１８５℃で蒸留し、８０．６％の蒸留物を生成物として得た（１６５．８ｇ）。
【００４３】
ＦＦＡ濃縮物は、グリセロールを用いた酵素を触媒とするエステル化により、トリグリセリドへ変換された。トリグリセリドとしてのＭＵＦＡ濃縮物の酸性組成物を、表３に示す。当業者は、酵素を触媒とするエステル化工程は、脂肪酸組成に何の影響も与えず、そのため、表３は、ＦＦＡ濃縮物の脂肪酸組成も表すことを理解している。
【００４４】
表３：ニシン油由来のＬＣ−ＭＵＦＡのＴＧ濃縮物の脂肪酸組成
分析は、タラ肝油についてPh. Eur. monograph number 1192で説明されているものと同様のガスクロマトグラフィ温度勾配（temperature gradient）を使用して実施する。
【表３】
2017510698.tif 000004
【００４５】
ＭＵＦＡトリグリセリド生成物は、完全に無味であり、観測できる臭いもなかった。当業者は、必要であれば、製品の感覚的な特性を更に改善するために脱臭処理を用い得ること理解するであろう。濃縮物の品質の特性を、表４に示す。
【００４６】
当業者は、酵素を触媒とするエステル化により、サンプル中の不けん化（ＵＦＳ）物又はコレステロールの含有量が変わり得ないことを理解している。出発油脂（それぞれ７８及び９６％）と比較したこれらの２つの特徴の減少は、脂肪酸分別プロセスによって生ずる。従って、本プロセスは、ＭＵＦＡの非常に高い濃縮物を製造するために効果的であるだけでなく、コレステロールを含み、ＵＦＳが非常に少ないという濃縮物を製造するためにも効果的である。
【００４７】
それらの親油性により、ＤＤＴ、ＰＣＢ、ダイオキシン及びＰＢＤＥのような汚染物は、コレステロールと同程度まで、ＵＦＳ画分に伴うことが予測される。本発明に従って得られたＭＵＦＡ濃縮物は、それゆえ、通常の食事ではこれらの脂肪酸に付随する有害な環境汚染物を含まない、価値のあるＬＣ−ＭＵＦＡを提供するという点において独特であると理解される。表４は、生成物は、酸化物の含有量が非常に低いことも示す。
【００４８】
表４：ＭＵＦＡのトリグリセリド（ＴＧ）濃縮物の組成
【表４】
2017510698.tif 000005
【００４９】
得られたＭＵＦＡ生成物と出発魚油材料とを、残留性有機汚染物質の含有量について分析した。その分析結果を、以下の表４Ａに示す。
【表５】
2017510698.tif 000006
【００５０】
北大西洋産ニシン油は、オメガ−３濃縮物の製造で通常使用される南アメリカ産魚油と比較して高いレベルのＰＯＰを含むということが知られている。これにも関わらず、そのようなニシン油を出発油脂として使用し、そしてＰＯＰ含有量を減少させるための油脂の事前処理を何も行わない場合に、本発明は、そのような汚染物質が非常に少ないＭＵＦＡ生成物の製造を可能とする。一般に、ＰＯＰレベルは、出発材料と比較して９０％を超えて低減する。上記の実施例において、出発ニシン油は、ＥＵにおける食品用の海洋油脂中のＰＯＰの許容限界値に適合していなかったが、ＭＵＦＡトリグリセリド生成物は、これらの許容限界値を大きく下回るＰＯＰ含有量であった。
【００５１】
実施例２
反応混合物をアイスバス中に４時間置く前に、表１のニシン油に由来する遊離脂肪酸１３５２．５ｇを、７１０ｍｌのアセトン、３６ｍｌの５Ｍ  ＬｉＯＨ水溶液に溶かし、４０℃で一晩撹拌した。形成された沈殿物は、飽和脂肪酸が濃縮されており、濾過により除去し、廃棄した。クエン酸を用いて酸性化した後、実施例１に説明する手順を用い、２２３．５ｇの遊離脂肪酸油脂を回収した。
【００５２】
反応混合物をアイスバス中に４時間置く前に、この油脂５０ｇを、アセトン２００ｍｌとＬｉＯＨ（水溶液）３５ｍｌと共に一晩撹拌させることによる更なる分別ステップに供した。形成された沈殿物は、濾過した。クエン酸水溶液を用いた濾液の酸性化と、実施例１のような分離により、表５（生成物２ａ）に示される組成を備えるＭＵＦＡ濃縮物（３４．１ｇ）が得られた。濾液の酸性化と実施例１の手順に従った処理は、表５、生成物２ｂに示される組成を備えるオメガ−３濃縮物が回収された。当業者は、例えば、上述した短行路蒸留及び再結晶化を用いて、これらの濃縮物を更に精製可能であることを理解している。（ＳＦＡ＝飽和脂肪酸）
【００５３】
表５：２ステップリチウム分別の結果。ＧＣエリア％における結果。
【表６】
2017510698.tif 000007
【００５４】
実施例３：ニシン油の蒸留エチルエステルでの分別
表１のニシン油のエチルエステルにおける飽和脂肪酸の含有量は、短鎖脂肪酸（飽和Ｃ１４：０及びＣ１６：０を含む）を９１℃、１０−４ｍｂａｒの圧力で蒸留により除去するためラボラトリ短行路蒸留器（Ｌｅｙｂｏｌｄ  ＫＤＬ  ４）を使用することで、減少した。蒸留物（３０重量％）は廃棄した。蒸留の残留物は、表６に示す脂肪酸組成を有していた。
【００５５】
蒸留の残留物８５０ｇを、アセトン１７００ｍｌに溶かした。混合物は、５Ｍ  ＫＯＨ水溶液５２０ｍｌ、５Ｍ  ＬｉＯＨ水溶液１２８０ｍｌ及び、更にアセトン１７００ｍｌを加えながら、撹拌した。４０℃で一晩撹拌した後、反応混合物を約４時間アイスバス中に置いた。
【００５６】
濾過後、濾液を酸性化し、溶解している脂肪酸塩を遊離脂肪酸へと変換した。回収されたオメガ−３リッチな脂肪酸（１８２ｇ）の組成を、表６に示す。
【００５７】
そして、軽及び重副生成物を除去するため、回収されたエチルエステルの２ステップ短行路蒸留を実施した。第１の蒸留ステップ：１３０℃、１０−４ｍｂａｒ、蒸留物約１１％、残留物約８９％。第２の蒸留ステップを、第１のステップの残留物で実施した（１８２℃、１０−４ｍｂａｒ、蒸留物約９７．８％、残留物約２．２％）。
【００５８】
最終蒸留物１５０．６ｇは、オメガ−３脂肪酸が濃縮されていた。蒸留されたオメガ−３濃縮物の組成を、表６に示す。オメガ−３濃縮物は、７８％のオメガ−３脂肪酸を含んでいた。当業者は、濃度は、既知の技術に従って更に濃度を増加可能であることを理解している。
【００５９】
表６：実施例３の脂肪酸の分析（ガスクロマトグラフィエリア％）
【表７】
2017510698.tif 000008
【００６０】
窒素を流して溶媒の大半を除去した後の濾過の沈殿物は、１８９０ｇの重量であった。この材料１００ｇを、エタノール（９６％）１００ｍｌ中で再結晶化した。再結晶化リチウム塩は、クエン酸を用いて酸性化され、ＭＵＦＡ遊離脂肪酸の濃縮物２２．７ｇを回収した。これは、仮に全ての材料が再結晶化された場合、４２９ｇの濃縮物に相当する。
【００６１】
再結晶化前後のＭＵＦＡ濃縮物の脂肪酸組成を、表６に示す。再結晶化ＭＵＦＡ濃縮物は、８８％のＭＵＦＡ含有量と、僅か０．１％のオメガ−３脂肪酸（再結晶前の４．５％から減少）を含有する。後者の特性は、生成物からの酸腐臭の進行、及び「魚」臭を回避するために重要である。
【００６２】
実施例４：溶媒としてエタノールを使用したニシン油の蒸留エチルエステルでの分別
実施例３と同じバッチの出発材料（蒸留によって短鎖脂肪酸が除去されているエチル化ニシン油）を、実施例４において用いた。実施例４は、実施例３では８５０ｍｌであるのに代えて１００ｇのエチルエステルで開始した。実施例３との比較が可能なように、試薬及び溶媒の体積を、ほぼ同じ比で減少させた（２００＋２００ｍｌエタノール（９６％）２００＋２００ｍｌ、５Ｍ  ＫＯＨ６０ｍｌ、５Ｍ  ＬｉＯＨ１６０ｍｌ）。その他の反応条件は、実施例３に記載の通りである。
【００６３】
濾過によるリチウム塩の除去後、エタノール溶液の酸性化後に、遊離脂肪酸２９．１ｇを得た。沈殿した塩の酸性化は、４４．６ｇの遊離脂肪酸の分離をもたらした（脂肪酸塩は再結晶化せず）。２つの生成物の脂肪酸組成は、表７で見られる。
【００６４】
その結果から、エタノールでの分別は、同じ体積のアセトンを使用した分別よりも、ＬＣ−ＭＵＦＡがよりリッチなＭＵＦＡ濃縮物が得られるということがわかる。予期せず、Ｃ１８：１は、エタノールを溶媒として使用した場合、同じ体積のアセトンと比較して、より少ない程度に沈殿した。
【００６５】
これにより、副産物として、地中海ダイエット由来の価値のある脂肪酸と考えられているオレイン酸（Ｃ１８：１ｎ９）を相当量含有するオメガ−３濃縮物が得られる。このように、エタノールでの分別は、有益なオメガ−３脂肪酸とオレイン酸とが濃縮された濃縮物が得られ、加えてＬＣ−ＭＵＦＡが濃縮された別の濃縮物を得ることができる。
【００６６】
表７：実施例４の脂肪酸分析（ガスクロマトグラフエリア％）
【表８】
2017510698.tif 000009
【００６７】
実施例５
溶媒としてエタノールを使用したニシン油の蒸留エチルエステルでの分別
表８のニシン油のエチルエステル中の飽和脂肪酸含有量を、短行路蒸留（ＶＴＡ、脱気装置を備えるモデルＶＫ８３−６−ＳＫＲ−Ｇ）のパイロットプラント設備を使用し、実施例３での説明と同様の方法で減少させた。蒸留は、１１３℃の温度、７．ｋｇ／ｈのフロー、０．０１ｍｂａｒの真空下で実施した。短鎖脂肪酸の除去後のエチルエステルの組成は、得られたＭＵＦＡ濃縮物の脂肪酸組成と共に、表８に示す。
【００６８】
ＭＵＦＡ濃縮物は、以下の方法で得られた。
短鎖脂肪酸エチルエステルの除去後、非蒸留残留物の約５０ｇの部分を、５０ｍｌの９６％エタノールと混合し、そして、
Ａ：２５ｍｌの５Ｍ  ＫＯＨ（水溶液）、及び分別に使用するエチルエステル組成物１ｋｇあたり、リチウム換算で４５ｇに相当する６５ｍｌの５Ｍ  ＬｉＯＨ（水溶液）、
Ｂ：１５ｍｌの５Ｍ  ＫＯＨ（水溶液）、及びエチルエステル組成物１ｋｇあたり、リチウム換算で５２ｇに相当する７５ｍｌの５Ｍ  ＬｉＯＨ（水溶液）、
Ｃ：５ｍｌの５Ｍ  ＫＯＨ（水溶液）、及びエチルエステル組成物１ｋｇあたり、リチウム換算で５９ｇに相当する８５ｍｌの５Ｍ  ＬｉＯＨ（水溶液）、
反応混合物を４０℃で２時間撹拌し、アイスバスで冷却した。実用上の理由から、冷却は一晩続けた。
沈殿物は、濾過によって除去した。ＨＣｌ（４Ｍ）を酸性化のために加え、得られた混合物を、液体の遊離脂肪酸相の分離を起こすために、撹拌しながら穏やかに加熱した。遊離脂肪酸相は、少量の水を除去するために、ロータリーエバポレータにおいて真空下で処理された。生成物は、ＧＣで分析された。結果は、表８に示す。
【００６９】
収量（出発エチルエステル混合物についてＣ２０の平均鎖長から算出され、加水分解から遊離脂肪酸への理論収率は９２％である）：
Ａ：２５．９ｇ（出発材料としてのエチルエステル５０．６ｇに基づくと５６％）
Ｂ：２７．４ｇ（出発材料としてのエチルエステル４９．８ｇに基づくと６０％）
Ｃ：２５．３ｇ（出発材料としてのエチルエステル５０．３ｇに基づくと５５％）
【００７０】
沈殿物の除去後、濾液を、４Ｍ  ＨＣｌ（４Ｍ）を用いて酸性化した。液体遊離脂肪酸相を得るために、撹拌しながら穏やかに加熱した。遊離脂肪酸相は、少量の水で洗浄し、そして、遊離脂肪酸相をロータリーエバポレータで乾燥させた。得られたオメガ−３脂肪酸とオレイン酸（Ｃ１８：１ｎ９）の濃縮物の組成を、表８に示す。
【００７１】
収量（出発エチルエステル混合物についてＣ２０の平均鎖長から算出され、加水分解から遊離脂肪酸への理論収率は９２％である）：
Ａ：１１．５ｇ（出発材料としてのエチルエステル５０．６ｇに基づくと２５％）
Ｂ：８．７ｇ（出発材料としてのエチルエステル４９．８ｇに基づくと１９％）
Ｃ：９．１ｇ（出発材料としてのエチルエステル５０．３ｇに基づくと２０％）
【００７２】
収量について、少量の材料であるため、中間体及び生成物の変換中のマテリアルロスの量が、大規模な装置で同じ反応を実施する場合と比較して、パーセントベースでより大きくなることを当業者は理解するだろうということに留意されたい。
【００７３】
表から理解できるように、ＭＵＦＡ濃縮物の組成は、実験Ａ、Ｂ、Ｃを通じて著しい変化はない。明細書中及び実施例１で述べた様に、得られた遊離酸の酸性化と分離との前に、沈殿したリチウム塩を再結晶化させることは、ＭＵＦＡ含有量を増加させ、これらのＭＵＦＡ濃縮物のＰＵＦＡ含有量を減少させた。
【００７４】
ＭＵＦＡ濃縮物と同時に形成されたＰＵＦＡ濃縮物について、沈殿剤としてのリチウムイオンの量の増加に伴い、オメガ−３脂肪酸の濃度の有意な増加が観察されうる。対照的に、オメガ−６脂肪酸の濃度は、リチウムの量の増加に伴い、驚くほど一定を維持する。これは、ＰＵＦＡ濃縮物の形成のための尿素分画の一般的な使用とは対照的である。尿素分画中に、残念なことにオメガ−６脂肪酸は、対応するオメガ−３脂肪酸よりも多く濃縮される。このようにリチウム分別は、驚くことに、尿素分画で得られ得るものと比較して、より高く、そしてこのようにより有益な、オメガ−３／オメガ−６比を備えるＰＵＦＡ濃縮物を製造するために使用することができる。
【００７５】
表８：ＧＣエリア％における結果
【表９】
2017510698.tif 000010
【００７６】
実施例６
魚油の直接分別
水産油脂は脂肪酸組成が非常に複雑であるがゆえ、長鎖オメガ−３脂肪酸の高い濃縮物は、商業的な規模では、いずれの単一の分別技術によっても簡単に得ることはできない。オメガ−３濃縮物の商業的な生産は、エタノールを用いた油脂のエステル交換で、又は、油脂を加水分解して遊離脂肪酸又はそれらの塩とすることにより、出発する。この慣行に反し、魚油それ自体を、本プロセスの出発材料として直接使用することができる。
【００７７】
表１のニシン油（つまり、ＴＧ状のオリジナル油脂）４９．４ｇを、１００ｍｌのエタノール（９６％）に溶かした。撹拌しながら、５Ｍ  ＫＯＨ３０ｍｌを加え、続いて、５Ｍ  ＬｉＯＨ４０ｍｌと、追加量のエタノール（９６％）１００ｍｌを加えた。反応物は、４０℃で一晩撹拌し、その後、濾過の前にアイスバスで４時間冷却した。脂肪酸濃縮物を、上述した実施例と同じ方法で、沈殿したリチウム塩と溶解したカリウム／リチウム塩とから分離した。
【００７８】
生成物の組成を、表９に示す。上記の実施例と同様に、リチウム塩ＬＣ−ＭＵＦＡ濃縮物の再結晶化は、オメガ−３含有量を１％未満のレベルまで低減することができた。蒸留を使用し魚油のようなトリグリセリド油脂を分別することは不可能であるが、２つの初期の濃縮物が、事前に蒸留された出発材料から製造された濃縮物よりも、短鎖脂肪酸を多く含有することが観察され得る。しかしながら、当業者は、短行路蒸留又は他の既知の技術を用いて、表９の濃縮物を更に処理することで、Ｃ１４及びＣ１６脂肪酸の含有量を低減させることができることを理解するだろう。
【００７９】
【表１０】
2017510698.tif 000011
【００８０】
［付記１］
ａ）Ｃ２０−Ｃ２２長鎖多価不飽和脂肪酸と、少なくとも１５重量％のＣ２０−Ｃ２２長鎖一価不飽和脂肪酸とを含む油脂組成物を、（ｉ）Ｃ１−Ｃ５アルコール及び式Ｒ１（Ｃ＝Ｏ）Ｒ２で示されＲ１及びＲ２がそれぞれ独立してＣ１−Ｃ５アルキルであるケトンからなる群から選択される有機溶媒並びに（ｉｉ）リチウム塩と、５５℃〜８０℃で混合して、前記長鎖多価不飽和脂肪酸のリチウム塩と前記長鎖一価不飽和脂肪酸のリチウム塩とを含む混合組成物を形成するステップと、
ｂ）前記長鎖一価不飽和脂肪酸の前記リチウム塩が沈殿物を形成するように、ステップａで形成された前記混合組成物の温度を下げるステップと、
ｃ）前記沈殿物を取り出して、長鎖一価不飽和脂肪酸の濃縮組成物を得るステップを、
を含む、Ｃ２０−Ｃ２２長鎖一価不飽和脂肪酸の濃縮組成物を得るための方法。
【００８１】
［付記２］
前記油脂組成物は、魚、甲殻類、藻類、プランクトン、又は高等植物に由来する、
ことを特徴とする付記１に記載の方法。
【００８２】
［付記３］
前記油脂組成物は、遊離脂肪酸及び脂肪酸モノエステルからなる群から選択される１つを含む、
ことを特徴とする付記１又は２に記載の方法。
【００８３】
［付記４］
前記脂肪酸モノエステルは、エチルエステルを含む、
ことを特徴とする付記３に記載の方法。
【００８４】
［付記５］
前記油脂組成物は、飽和脂肪酸及び／又はより短鎖の脂肪酸の濃度を低減させるために、事前分別ステップに供される、
ことを特徴とする付記１乃至４のいずれか１項に記載の方法。
【００８５】
［付記６］
追加の塩基が、ステップａにおいて加えられる、
ことを特徴とする付記１乃至５のいずれか１項に記載の方法。
【００８６】
［付記７］
前記追加の塩基は、水酸化カリウムである、
ことを特徴とする付記６に記載の方法。
【００８７】
［付記８］
前記有機溶媒は、エタノール及びアセトンからなる群から選択される、
ことを特徴とする付記１乃至７のいずれか１項に記載の方法。
【００８８】
［付記９］
前記溶媒は、油脂組成物１ｋｇあたり０．５〜８リットルの量が加えられる、
ことを特徴とする付記１乃至８のいずれか１項に記載の方法。
【００８９】
［付記１０］
前記リチウム塩は、炭酸リチウム、重炭酸リチウム、及び水酸化リチウムからなる群から選択される、
ことを特徴とする付記１乃至９のいずれか１項に記載の方法。
【００９０】
［付記１１］
前記リチウム塩は、水酸化リチウムを含む、
ことを特徴とする付記１０に記載の方法。
【００９１】
［付記１２］
前記リチウム塩は、油脂組成物１ｋｇあたり、リチウム換算で、５〜７０グラムの量が加えられる、
ことを特徴とする付記１乃至１１のいずれか１項に記載の方法。
【００９２】
［付記１３］
混合された前記組成物は、ステップｂにおいて、１０℃以下に冷却される、
ことを特徴とする付記１乃至１２のいずれか１項に記載の方法。
【００９３】
［付記１４］
前記油脂組成物は、魚油組成物である、
ことを特徴とする付記１に記載の方法。
【００９４】
［付記１５］
ＰＣＢの含有量によって測定される残留性有機環境汚染物質の含有量は、出発時の前記油脂組成物と比較して、９０％より多く減少する、
ことを特徴とする付記１乃至１４のいずれか１項に記載の方法。
【００９５】
［付記１６］
少なくとも７０重量％のＣ２０−Ｃ２２長鎖一価不飽和脂肪酸を含む組成物。
【００９６】
［付記１７］
前記組成物は、少なくとも８０重量％のＣ２０−Ｃ２２長鎖一価不飽和脂肪酸を含む、
ことを特徴とする付記１６に記載の組成物。
【００９７】
［付記１８］
前記組成物は、遊離Ｃ２０−Ｃ２２長鎖一価不飽和脂肪酸を含む、
ことを特徴とする付記１６又は１７に記載の組成物。
【００９８】
［付記１９］
前記組成物は、Ｃ２０−Ｃ２２長鎖一価不飽和脂肪酸のモノエステルを含む、
ことを特徴とする付記１６又は１７に記載の組成物。
【００９９】
［付記２０］
前記組成物は、Ｃ２０−Ｃ２２長鎖一価不飽和脂肪酸のトリグリセリドを含む、
ことを特徴とする付記１６又は１７に記載の組成物。
【手続補正書】
【提出日】平成28年12月13日(2016.12.13)
【手続補正１】
【補正対象書類名】特許請求の範囲
【補正対象項目名】請求項１
【補正方法】変更
【補正の内容】
【請求項１】
ａ）Ｃ２０−Ｃ２２長鎖多価不飽和脂肪酸と、少なくとも１５重量％のＣ２０−Ｃ２２長鎖一価不飽和脂肪酸とを含む油脂組成物を、（ｉ）Ｃ１−Ｃ５アルコール及び式Ｒ１（Ｃ＝Ｏ）Ｒ２で示されＲ１及びＲ２がそれぞれ独立してＣ１−Ｃ５アルキルであるケトンからなる群から選択される有機溶媒並びに（ｉｉ）リチウム塩と、１５℃〜８０℃で混合して、前記長鎖多価不飽和脂肪酸のリチウム塩と前記長鎖一価不飽和脂肪酸のリチウム塩とを含む混合組成物を形成するステップと、
ｂ）前記長鎖一価不飽和脂肪酸の前記リチウム塩が沈殿物を形成するように、ステップａで形成された前記混合組成物の温度を下げるステップと、
ｃ）前記沈殿物を取り出して、長鎖一価不飽和脂肪酸の濃縮組成物を得るステップと、
を含む、Ｃ２０−Ｃ２２長鎖一価不飽和脂肪酸の濃縮組成物を得るための方法。
【国際調査報告】
2017510698.tif 000012
2017510698.tif 000013